(57)【特許請求の範囲】
【請求項１】
ベースから立設された支柱の上部に、便器の前後方向に対応して長手方向に配置された手すり部が設けられた左右一対の側部部材と、前記左右一対の側部部材の支柱間に連結されて、前記便器の前部に対応する連結部材と、この連結部材から前記便器の後部方向に離れた位置において、前記左右一対の側部部材の前記支柱側に取り付けたアーム支持部材から夫々対向方向に突出され、且つ、前記便器の前後方向を回転軸の方向として、回転操作ねじの螺進により上下方向に回転駆動可能に設けられた一対の固定用アームとから構成され、前記固定用アームを回転駆動する機構は、この固定用アームを前記アーム支持部材に上下方向に回転可能に支持した支点よりも下方の位置において、前記固定用アームを便器方向に押動するように、回転操作ねじを前記アーム支持部材の外側から進退可能に設けた構成としたことを特徴とする便器用手すり装置。
【請求項２】
固定用アームに、回転操作ねじの先端部を当接させる帯板状の当接部材を設け、この当接部材に前記固定用アームの回転範囲を調節する凸部を偏倚させて設けたことを特徴とする請求項１に記載の便器用手すり装置。
【請求項３】
ベースから立設された支柱の上部に、便器の前後方向に対応して長手方向に配置された手すり部が設けられた左右一対の側部部材と、前記左右一対の側部部材の支柱間に連結されて、前記便器の前部に対応する連結部材と、この連結部材から前記便器の後部方向に離れた位置において、前記左右一対の側部部材の前記支柱側に取り付けたアーム支持部材から夫々対向方向に突出され、且つ、前記便器の前後方向を回転軸の方向として、回転操作ねじの螺進により上下方向に回転駆動可能に設けられた一対の固定用アームとから構成され、連結部材の端部と前記アーム支持部材を、支柱に設けた支柱側取付部材に夫々着脱可能に取り付ける構成すると共に、連結部材の端部及びアーム支持部材と、支柱側取付部材間に間隔拡大用部材を介在可能に構成したことを特徴とする便器用手すり装置。
【請求項４】
ベースから立設された支柱の上部に、便器の前後方向に対応して長手方向に配置された手すり部が設けられた左右一対の側部部材と、前記左右一対の側部部材の支柱間に連結されて、前記便器の前部に対応する連結部材と、この連結部材から前記便器の後部方向に離れた位置において、前記左右一対の側部部材の前記支柱側に取り付けたアーム支持部材から夫々対向方向に突出され、且つ、前記便器の前後方向を回転軸の方向として、回転操作ねじの螺進により上下方向に回転駆動可能に設けられた一対の固定用アームとから構成され、連結部材の端部と前記アーム支持部材を、共通取付部材に取り付け、この共通取付部材を支柱に設けた支柱側取付部材に着脱可能に取り付ける構成とすると共に、共通取付部材と支柱側取付部材間に間隔拡大用部材を介在可能に構成したことを特徴とする便器用手すり装置。
【発明の詳細な説明】
【技術分野】
【０００１】
本発明は、既設の洋式便器等に取り付けて、老人や、その他の身体の不自由の人が安全に便器を使用できるようにするための便器用手すり装置に関する。
【背景技術】
【０００２】
既設の洋式便器等に取り付けて使用する便器用手すり装置は、従来から各種の構成のものが提案されている。
【０００３】
例えば第１の例として、特許文献１、特許文献２には、便器の前後方向に対応して長手方向に配置された手すり部を上部に設けた左右一対の側部部材の、前部の下側と後部を左右連結部材で連結して便器を囲むフレーム状に構成すると共に、側部部材を構成する前後連結部材から便器に向かって水平に回転操作ねじを設けて、この回転操作ねじにより便器の左右側壁を押圧して挟持する構成の便器用手すり装置が記載されている。
【０００４】
また第２の例として、特許文献３、特許文献４には、便器の前後方向に対応して長手方向に配置された手すり部を上部に設けた左右一対の側部部材の、前部の下側と後部又は前部の下側のみを左右連結部材で連結してフレーム状に構成すると共に、側部部材のベースから斜め上方に便器に向かう固定部材を設け、この固定部材は、ベース側の下部アームと、端部にアジャスタ付きアタッチメントを設けた進退可能な上部アームとから構成され、上部アームを下部アームに対して長穴に沿って伸長させてアタッチメントを便器に当接させ、そしてノブボルトにより上部アームを固定した後、アジャスタを動作させることにより、アタッチメントを便器の左右側壁に押圧させて挟持する構成の便器用手すり装置が記載されている。
【０００５】
更に第３の例として、特許文献５には、ベースから立設された支柱の上部に、便器の前後方向に対応して長手方向に配置された手すり部が設けられた左右一対の側部部材の前記支柱間に、前記便器の前部に対応する連結杆を連結すると共に、連結杆又は側部部材から便器の後部方向に差し出した左右一対の固定用アームを、便器の上下方向を回転軸の方向として、回転操作ねじにより水平方向に回転駆動可能とし、固定用アームを水平方向に回転駆動して、その先端側を便器の左右側壁に押圧させて挟持する構成の便器用手すり装置が記載されている
【先行技術文献】
【特許文献】
【０００６】
【特許文献１】特許第３３６２８４６号公報
【特許文献２】特開平１１−１１３８０２号公報
【特許文献３】特許第２９８１１８２号公報
【特許文献４】特開２００９−２９７４６５号公報
【特許文献５】特許第４４９１３７４号公報
【発明の概要】
【発明が解決しようとする課題】
【０００７】
上述した第１の例の便器用手すり装置では、フレーム状を構成する前部の左右連結部材が使用者の邪魔になり、また便器への取り付けは、水平方向に配置されたねじ棒を螺進させて先端の当接部により便器の側壁を押圧して挟持するものであるから、寸法等の異なる多種多様な便器に対応させようとすると、ねじ棒の螺進距離が長くなって、所要の回転操作量が多くなり、また手すり部等から側部部材に加わる上方向への外力に対しての保持力が比較的小さく、不安定になりやすいという課題がある。
【０００８】
一方、第２の例の便器用手すり装置では、便器への取り付け操作は、上部アームを下部アームに対して長穴に沿って伸長させてアタッチメントを便器の左右側壁に当接させ、そしてノブボルトにより上部アームを固定した後、アジャスタを操作することにより、アタッチメントを便器の左右側壁に押圧させて挟持するという手順を踏むものであって、面倒であると共に、これを解決するために、上部アームをねじ棒の螺進によって行えるように構成することは、操作側が側部部材の下部に位置することになるので実際上は困難である。また、固定部材は、長穴によって伸縮可能な上部アームと下部アームとから構成されているため、強度的に不利であり、上述した操作方法と共に、所要の取付強度が得られない懸念がある。
【０００９】
一方、第３の例の便器用手すり装置では、先端部を便器の左右側壁に押圧して便器を挟持する固定用アームは、連結部材等から便器の後部方向に差し出され、水平方向に回転駆動して、その先端側を便器の側壁に押圧させて挟持する構成であるため、機構上、強度的に不利であり、手すり部等から側部部材に加わる上方向への外力に対しての保持力が比較的小さく、不安定になりやすいという課題がある。
【００１０】
更に、上述したいずれの例の便器用手すり装置にしても、固定用アーム等の先端側が便器に当接する位置を調節するための手段を有していないため、多種多様な便器に対応することは困難である。例えば、温水洗浄機能付きの便器において、操作部が便器の側方に突出しているものがあるが、従来の便器用手すり装置では、このような便器に対応することはできない。
【００１１】
本発明では、上述したような従来の技術の課題を解決することを目的とするものである。
【課題を解決するための手段】
【００１２】
上述した課題を解決するために本発明では、ベースから立設された支柱の上部に、便器の前後方向に対応して長手方向に配置された手すり部が設けられた左右一対の側部部材と、前記左右一対の側部部材の支柱間に連結されて、前記便器の前部に対応する連結部材と、この連結部材から前記便器の後部方向に離れた位置において、前記左右一対の側部部材の前記支柱側に取り付けたアーム支持部材から夫々対向方向に突出され、且つ、前記便器の前後方向を回転軸の方向として、回転操作ねじの螺進により上下方向に回転駆動可能に設けられた一対の固定用アームとから構成され、前記固定用アームを回転駆動する機構は、この固定用アームを前記アーム支持部材に上下方向に回転可能に支持した支点よりも下方の位置において、前記固定用アームを便器方向に押動するように、回転操作ねじを前記アーム支持部材の外側から進退可能に設けた構成とした便器用手すり装置を提案する。
【００１３】
そして本発明では、上記の構成において、固定用アームに、回転操作ねじの先端部を当接させる帯板状の当接部材を設け、この当接部材に前記固定用アームの回転範囲を調節する凸部を偏倚させて設けた便器用手すり装置を提案する。
【００１４】
また本発明では、ベースから立設された支柱の上部に、便器の前後方向に対応して長手方向に配置された手すり部が設けられた左右一対の側部部材と、前記左右一対の側部部材の支柱間に連結されて、前記便器の前部に対応する連結部材と、この連結部材から前記便器の後部方向に離れた位置において、前記左右一対の側部部材の前記支柱側に取り付けたアーム支持部材から夫々対向方向に突出され、且つ、前記便器の前後方向を回転軸の方向として、回転操作ねじの螺進により上下方向に回転駆動可能に設けられた一対の固定用アームとから構成され、連結部材の端部と、前記アーム支持部材を、支柱に設けた支柱側取付部材に夫々着脱可能に取り付ける構成すると共に、連結部材の端部及びアーム支持部材と、支柱側取付部材間に間隔拡大用部材を介在可能に構成した便器用手すり装置を提案する。
【００１５】
また本発明では、ベースから立設された支柱の上部に、便器の前後方向に対応して長手方向に配置された手すり部が設けられた左右一対の側部部材と、前記左右一対の側部部材の支柱間に連結されて、前記便器の前部に対応する連結部材と、この連結部材から前記便器の後部方向に離れた位置において、前記左右一対の側部部材の前記支柱側に取り付けたアーム支持部材から夫々対向方向に突出され、且つ、前記便器の前後方向を回転軸の方向として、回転操作ねじの螺進により上下方向に回転駆動可能に設けられた一対の固定用アームとから構成され、連結部材の端部と、前記アーム支持部材を、共通取付部材に取り付け、この共通取付部材を支柱に設けた支柱側取付部材に着脱可能に取り付ける構成とすると共に、共通取付部材と支柱側取付部材間に間隔拡大用部材を介在可能に構成した便器用手すり装置を提案する。
【発明の効果】
【００２１】
本発明の便器用手すり装置では、回転操作ねじの操作により固定用アームを下方に位置させている状態において、便器の前部側から移動させて、側部部材を便器の左右側部に位置させ、連結部材を便器の前部に当接させる。この状態において、回転操作ねじを操作して固定用アームを上方に回転させると、固定用アームの先端側が下方から近付いて便器の側壁に圧接するので、こうして本発明の便器用手すり装置は、便器の左右側壁に圧接して挟持する固定用アームと、連結部材とから、便器に、強固に取り付けることができる。
【００２２】
本発明では、固定用アームの先端側は、回転軌跡上を移動して、下方から上方に移動しながら便器の左右側壁に圧接するので、手すり部等から側部部材に加わる上方向への外力に対しての保持力を大きくすることができ、取り付けた後、非常に安定する。
【００２３】
本発明では、連結部材の端部と、固定用アームを回転駆動可能に支持するアーム支持部材を、共通取付部材に取り付ける構成とすることにより、便器の壁に当接する部材を一体に構成することができるため、強度的な品質の一定化を図ることができる。
【００２４】
しかしながら本発明では、このように連結部材の端部とアーム支持部材を共通取付部材を介して支柱側取付部材に取り付けるのではなく、連結部材の端部とアーム支持部材を、夫々支柱側取付部材に取り付けるように構成することもできる。
【００２５】
そして本発明では、アーム支持部材を、共通取付部材又は支柱側取付部材に対して、便器の前後方向に位置調節可能に取り付ける構成とすることにより、寸法、形状の異なる便器に対して、固定位置を適切に調節することができる。
【００２６】
本発明では、連結部材の端部とアーム支持部材、又は共通取付部材を、支柱側取付部材に着脱可能に取り付ける構成とすることにより、取り外した状態での搬送、そして使用場所での組立を容易に行うことができる。
【００２７】
また、このような構成においては、連結部材の端部及びアーム支持部材と、支柱側取付部材間、又は共通取付部材と支柱側取付部材間に間隔拡大用部材を介在可能に構成することにより、側部部材と、連結部材及びアーム支持部材との間の間隔を広くすることができ、こうして本発明では、操作部が便器の側方に突出している温水洗浄機能付きの便器にも容易に対応することができる。
【００２８】
本発明では、固定用アームを回転駆動する機構は、この固定用アームを上下方向に回転可能に支持した支点よりも下方の位置において、固定用アームを便器方向に押動するように、回転操作ねじをアーム支持部材の外側から進退可能に設けた構成とすれば、回転操作ねじの回転量に対しての固定用アームの回転角度を適宜に設定することができ、例えば回転操作ねじの先端部による固定用アームの押動位置を、支点の近傍の位置とすることにより、回転操作ねじの回転量に対しての固定用アームの回転角度を大きく設定することができる。
【００２９】
本発明では、固定用アームを丸パイプで構成する等により、回転操作ねじの先端部が当接する適当な部位がないような場合には、帯板状の当接部材を設ければよく、この場合、この当接部材に偏倚させて凸部を設けた構成とすれば、逆側に取り付けることにより、固定用アームの回転範囲を調節することができる。この場合は、壁面が上部から下部に向かって凹んだ形状を有する便器や、凹んだ形状を有しないストレートの壁面を有する便器等に応じて、固定用アームの回転範囲を適切に調節することができる。
【図面の簡単な説明】
【００３０】
【図１】図１は本発明に係る便器用手すり装置の前方から見た外観斜視図である。
【図２】図２は本発明に係る便器用手すり装置の後方から見た外観斜視図である。
【図３】図３は本発明に係る便器用手すり装置を構成する第１の要素の平面図である。
【図４】図４は本発明に係る便器用手すり装置を構成する第１の要素の正面図である。
【図５】図５は本発明に係る便器用手すり装置を構成する第１の要素の右側面図である。
【図６】図６は図３のＡ−Ａ矢視図である。
【図７】図７は図６の斜視図である。
【図８】図８は本発明に係る便器用手すり装置を構成する第２の要素を示すもので、（ａ）は正面図、（ｂ）は側面図である。
【図９】図９は固定用アームを回転駆動する機構を一部切り欠いて示す斜視図である。
【図１０】図１０は固定用アームを回転駆動する機構を一部切り欠いて示す斜視図である。
【図１１】図１１は図９の正面図である。
【図１２】図１２は図１０の正面図である。
【図１３】図１３は手すり部を回動上昇させた状態の要部斜視図である。
【図１４】図１４は手すり部の構成をロック状態で示す断面図である。
【図１５】図１５は手すり部の構成をロック解除状態で示す断面図である。
【図１６】図１６は本発明に係る便器用手すり装置を便器に取り付けた状態を前方からみた外観斜視図である。
【図１７】図１７は本発明に係る便器用手すり装置を便器に取り付けた状態を後方からみた外観斜視図である。
【図１８】図１８は図１７の要部側面図である。
【図１９】図１９は図１７の要部斜視図である。
【図２０】図２０は固定用アームを便器の側壁に当接させる位置を調節した状態を示す要部斜視図である。
【図２１】図２１は固定用アームを便器の側壁に当接させる位置を調節した他の状態を示す要部斜視図である。
【図２２】図２２は固定用アームの回転範囲を調節した状態を示す正面図である。
【図２３】図２３は固定用アームの回転範囲を調節した状態を示す正面図である。
【図２４】図２４は間隔拡大用部材を介在させる要素を説明する要部斜視図である。
【図２５】図２５は間隔拡大用部材を介在させた状態を示す要部斜視図である。
【図２６】図２６は間隔拡大用部材を介在させて便器に設置した状態を示す正面図である。
【図２７】図２７は固定用アームの他の実施の形態を、その回転駆動機構と共に示す要部斜視図である。
【図２８】図２８は固定用アームの他の実施の形態を、その回転駆動機構と共に示す要部斜視図である。
【発明を実施するための形態】
【００３１】
次に、本発明の便器用手すり装置の実施の形態を図１〜図２５を参照して説明する。
これらの図において、符号１は本発明に係る便器用手すり装置を概して示すもので、この便器用手すり装置１は、ベース２から立設された支柱３の上部に、便器４の前後方向に対応して長手方向が配置された手すり部５が設けられた左右一対の側部部材６と、これらの左右一対の側部部材６の支柱３間に連結されて、前記便器４の前部に対応する連結部材７と、この連結部材７から前記便器４の後部方向に離れた位置において、前記左右一対の側部部材６の前記支柱３側から夫々対向方向に突出され、且つ、前記便器４の前後方向を回転軸の方向として、回転操作ねじ８の螺進により上下方向に回転駆動可能に設けられた一対の固定用アーム９とから構成される。
【００３２】
実施の形態を詳細に説明すると、前記左右一対の側部部材６を構成するベース２は、図１、図２、図８等に示されるように、横方向に配置される脚パイプ１０の両端下側にアジャスター１１を取り付けた構成であり、また支柱３は下側の外パイプ１２内に上側の内パイプ１３を伸縮可能に嵌合し、前記手すり部５を取り付ける内パイプ１３の高さを調節して、適宜の高さで締付ねじの操作ノブ１４を操作して固定可能に構成している。
【００３３】
次に、この実施の形態では、図１〜図７等に示されるように、連結部材７の端部と、固定用アーム９を回転駆動可能に支持するアーム支持部材１５は、共通取付部材１６に取り付ける構成としており、この共通取付部材１６は、前記支柱３、この場合、外パイプ１２に設けた支柱側取付部材１７に、取付ねじ１８によって着脱可能に取り付ける構成としている。そして、前記アーム支持部材１５は、共通取付部材１６に対して、便器４の前後方向に位置調節可能に取り付ける構成としている。即ち、共通取付部材１６には、取付ねじ１９を貫通させてアーム支持部材１５に螺着するための取付穴２０を、便器４の前後方向に対応して複数組設けていて、取付ねじ１９を貫通させる取付穴２０を変更することにより、アーム支持部材１５を便器４の前後方向に位置調節可能としている。
【００３４】
上述したとおり、本発明では、別の実施の形態として、連結部材７の端部とアーム支持部材１５は、夫々支柱側取付部材１７に取り付けるようにすることができる。
【００３５】
次に図９〜図１１等に示されるように、固定用アーム９を回転駆動する機構は、この固定用アーム９を上下方向に回転可能に支持した支点２１よりも下方の位置において、固定用アーム９を便器４方向に押動するように、回転操作ねじ８をアーム支持部材１５の外側から進退可能に設けた構成とし、操作ノブ２２により操作する構成としている。
【００３６】
この実施の形態においては、固定用アーム９は丸パイプにより構成しているため、回転操作ねじ８の先端部が当接する部位が凸曲面となって適当でないため、帯板状の当接部材２３を設けている。そして、この当接部材２３には、三角形状の凸部２４を一方側に偏倚させて設けている。
【００３７】
以上の構成において、便器４に当接する連結部材７の個所及び固定用アーム９の先端部には、ゴム等の弾性材により構成した緩衝部２５を設けている。
【００３８】
次に手すり部５を説明すると、実施の形態においては、手すり部５は図１３〜図１５に示されるように、支柱３の上端に支点２６において回転可能に支持するための支持部材２７と、この支持部材２７の上側に取り付けられるアームレスト２８とから構成されている。このアームレスト２８は弓形状の扁平な形状で、弦側に低面部２９が形成されている。
【００３９】
一方、支持部材２７の下側には、ロック部材３０と、それを移動操作する操作レバー３１を移動可能に支持し、支柱３の上部には、前記ロック部材３０の係合穴３２を設けた保持部材３３を設けると共に、ロック部材３０を、前記係合穴３２に係合する向きに付勢するバネ３４を設けた構成としている。
【００４０】
以上の構成の本発明の便器用手すり装置１では、図９、図１１等に示すように回転操作ねじ８を操作ノブ１４で回転操作して、回転操作ねじ８の先端部を後退させていて、固定用アーム９が下方に回転して位置している状態において、便器４の前部側から移動させる。そして図１６、図１７に示すように、側部部材６を便器４の左右側部に位置させ、連結部材７、この場合は連結部材７に設けている緩衝部２５を便器４の前部に当接させる。
【００４１】
この状態において、操作ノブ２２を操作して回転操作ねじ８を螺進させると、回転操作ねじ８の先端部が当接部材２３を押動するので、固定用アーム９が上方に回転し、固定用アーム９の先端側の緩衝部２５が下方から便器４の側壁に近付いて、それを圧接する。
【００４２】
このようにして、本発明の便器用手すり装置１は便器４の左右側壁に圧接して挟持する固定用アーム９と、連結部材７とから、便器４に、強固に取り付けることができる。
【００４３】
この際、本発明では、固定用アーム９の先端側は、回転軌跡上を移動して、下方から上方に移動しながら便器４の左右側壁に圧接するので、手すり部５等から側部部材６の各要素に加わる上方向への外力に対しての保持力を大きくすることができ、取り付けた後、非常に安定する。
【００４４】
従って、老人や、その他の身体の不自由の人が、より安全に便器４を使用することができるようになる。
【００４５】
この実施の形態においては、連結部材７の端部と、固定用アーム９を回転駆動可能に支持するアーム支持部材１５を、共通取付部材１６に取り付ける構成としているので、便器４の壁に当接させる、これらの部材を一体に構成することができるため、強度的な品質の一定化を図ることができる。
【００４６】
またこの実施の形態においては、アーム支持部材１５を、共通取付部材１６に対して、便器４の前後方向に位置調節可能に取り付ける構成としているので、図１８、図１９等に示される取付位置では適切でない寸法、形状の異なる便器４に対しては、図２０又は図２１に示すように固定位置を便器４の後方又は前方に調節することができ、こうして各種の寸法、形状の異なる便器に対応させることができる。
【００４７】
またこの実施の形態においては、共通取付部材１６は、側部部材６の支柱３に設けた支柱側取付部材１７に着脱可能に取り付ける構成とすることにより、便器４の壁に当接させるための一体化した部材と、側部部材６とを取り外した状態での搬送、そして使用場所での組立を容易に行うことができる。
【００４８】
またこの実施の形態においては、共通取付部材１６は支柱側取付部材１７に着脱可能であるため、図２４、図２５に示すように、支柱側取付部材１７と、それに着脱可能な共通取付部材１６との間に、間隔拡大用部材３５を介在させて取り付けることができる。
【００４９】
図示した間隔拡大用部材３５は所定の厚さを有するブロック状で、取付ねじ１８を挿通させる穴３６を設けた構成としており、この穴３６を経て共通取付部材１６の取付穴３７に取付ねじ１８を挿通して螺着する構成としている。
【００５０】
尚、間隔拡大用部材３５は、図示したブロック状の構成の他に、ダブルナット等の適宜の部材を適用することができる。
【００５１】
このようにこの実施の形態では、支柱側取付部材１７と、それに着脱可能な共通取付部材１６との間に、間隔拡大用部材３５を介在させて間隔拡大用部材３５を介在させて、側部部材６と、連結部材７及びアーム支持部材１５との間の間隔を広くすることができるので、本発明の便器用手すり装置１は、図２６に示すように、操作部３８が便器４の側方に突出している温水洗浄機能付きの便器にも容易に対応することができる。
【００５２】
次に、固定用アーム９を回転駆動する機構の実施の形態においては、上述したように固定用アーム９を上下方向に回転可能に支持した支点２１よりも下方の位置において、固定用アーム９を便器４方向に押動するように、回転操作ねじ８をアーム支持部材１５の外側から進退可能に設けた構成としているので、操作ノブ２２による回転操作ねじ８の回転量に対しての固定用アーム９の回転角度を適宜に設定することができ、例えば回転操作ねじ８の先端部による固定用アーム９の押動位置を、支点２１の近傍の位置とすることにより、回転操作ねじ８の回転量に対しての固定用アーム９の回転角度を大きく設定することができ、便器４に当接させるまでに必要な操作ノブ２２の回転操作量を低減することができる。
【００５３】
更に、この実施の形態においては、固定用アーム９を丸パイプで構成していることから、回転操作ねじ８の先端部が当接する適当な部位がないので、帯板状の当接部材２３を設けており、そしてこの当接部材２３に、偏倚させて凸部２４を設けた構成としている。
【００５４】
このような構成においては、図１１、図１２に示すように、回転操作ねじ８の先端部が凸部２４に当接する配置で当接部材２３を固定用アーム９に取り付けた場合と、図２２、図２３に示すように、回転操作ねじ８の先端部が凸部２４に当接しない逆の配置で当接部材２３を固定用アーム９に取り付けた場合とでは、固定用アーム９の回動範囲を変更することができる。
【００５５】
即ち、図１１、図１２の場合には、固定用アーム９は、回転角度が比較的大きい範囲で回転させることができ、アーム支持部材１５から便器４方向への固定用アーム９の先端部の突出長を大きくすることができるので、例えば壁面が上部から下部に向かって凹んだ形状を有することにより、側壁との距離が大きい便器４に対応することができる。
【００５６】
一方、図２２、図２３の場合には、固定用アーム９は、回転角度が比較的小さい範囲で回転させることができ、アーム支持部材１５から便器４方向への固定用アーム９の先端部の突出長を小さくすることができるので、例えば壁面がストレートの形状で、側壁との距離が小さい便器４に対応することができる。
【００５７】
更に、以上に説明した実施の形態では、固定用アーム９は、直線棒状部の先端側に緩衝部２５を設けた構成としている。
【００５８】
他の実施の形態として、固定用アーム９は、図２７、図２８に示すように、直線棒状部の先端側に、便器４の後部方向に向かい、しかも斜め下方に湾曲した湾曲部を設けた構成とすることができ、このような先端部の構成では、便器４の側壁との当接が線接触的に行われるため、相互の滑りが発生しにくくなり、また局部的な応力集中を防ぐこともできるという利点がある。
【産業上の利用可能性】
【００５９】
本発明の便器用手すり装置は、以上のとおり、多種多様な便器に取り付けて、老人や、その他の身体の不自由の人が安全に便器を使用できるものであり、施設や家庭等の適所において非常に利用可能性大である。
【符号の説明】
【００６０】
１              便器用手すり装置
２              ベース
３              支柱
４              便器
５              手すり部
６              側部部材
７              連結部材
８              回転操作ねじ
９              固定用アーム
１０            脚パイプ
１１            アジャスター
１２            外パイプ
１３            内パイプ
１４            操作ノブ
１５            アーム支持部材
１６            共通取付部材
１７            支柱側取付部材
１８，１９      取付ねじ
２０            取付穴
２１            支点
２２            操作ノブ
２３            当接部材
２４            凸部
２５            緩衝部
２６            支点
２７            支持部材
２８            アームレスト
２９            低面部
３０            ロック部材
３１            操作レバー
３２            係合穴
３３            保持部材
３４            バネ
３５            間隔拡大用部材
３６、３７      穴
３８            操作部
【図１】
0005767071.tif 000002
【図２】
0005767071.tif 000003
【図３】
0005767071.tif 000004
【図４】
0005767071.tif 000005
【図５】
0005767071.tif 000006
【図６】
0005767071.tif 000007
【図７】
0005767071.tif 000008
【図８】
0005767071.tif 000009
【図９】
0005767071.tif 000010
【図１０】
0005767071.tif 000011
【図１１】
0005767071.tif 000012
【図１２】
0005767071.tif 000013
【図１３】
0005767071.tif 000014
【図１４】
0005767071.tif 000015
【図１５】
0005767071.tif 000016
【図１６】
0005767071.tif 000017
【図１７】
0005767071.tif 000018
【図１８】
0005767071.tif 000019
【図１９】
0005767071.tif 000020
【図２０】
0005767071.tif 000021
【図２１】
0005767071.tif 000022
【図２２】
0005767071.tif 000023
【図２３】
0005767071.tif 000024
【図２４】
0005767071.tif 000025
【図２５】
0005767071.tif 000026
【図２６】
0005767071.tif 000027
【図２７】
0005767071.tif 000028
【図２８】
0005767071.tif 000029